(57)【要約】【課題】  顔料を用いた場合においても、低解像度記録でもベタ部に白スジ状のムラ（バンディング）が生じることが無く、異色間のブリードも抑制可能で、かつ、蒸発特性にも優れたインクジェット記録用水性インクを提供する。【解決手段】  顔料及び水を含むインクジェット記録用水性インクであって、さらに、下記（ａ）に示す物質、（ｂ）に示す物質及び（ｃ）に示す物質を含み、前記水性インク全量に対する前記（ａ）に示す物質の配合量が、０．１重量％〜０．３重量％であり、前記水性インク全量に対する前記（ｂ）に示す物質の配合量が、２．５重量％〜４．５重量％であり、前記水性インク全量に対する前記（ｃ）に示す物質の配合量が、０．５重量％〜１．５重量％であることを特徴とする。 （ａ）：アセチレングリコール系界面活性剤（ｂ）：トリプロピレングリコールメチルエーテル（ｃ）：トリプロピレングリコール−ｎ−ブチルエーテル 【選択図】  なし【特許請求の範囲】
【請求項１】
着色剤及び水を含むインクジェット記録用水性インクであって、
前記着色剤が、顔料を含み、
さらに、前記水性インクが、下記（ａ）に示す物質、（ｂ）に示す物質及び（ｃ）に示す物質を含み、
前記水性インク全量に対する前記（ａ）に示す物質の配合量が、０．１重量％〜０．３重量％であり、
前記水性インク全量に対する前記（ｂ）に示す物質の配合量が、２．５重量％〜４．５重量％であり、
前記水性インク全量に対する前記（ｃ）に示す物質の配合量が、０．５重量％〜１．５重量％であることを特徴とするインクジェット記録用水性インク。
（ａ）：アセチレングリコール系界面活性剤
（ｂ）：トリプロピレングリコールメチルエーテル
（ｃ）：トリプロピレングリコール−ｎ−ブチルエーテル
【請求項２】
前記水性インク全量に対する前記（ａ）に示す物質の配合量が、０．１重量％〜０．２重量％であり、
前記水性インク全量に対する前記（ｂ）に示す物質の配合量が、３．５重量％〜４．５重量％であり、
前記水性インク全量に対する前記（ｃ）に示す物質の配合量が、０．５重量％〜１．０重量％であることを特徴とする請求項１記載のインクジェット記録用水性インク。
【請求項３】
前記顔料が、ブラック顔料であることを特徴とする請求項１又は２記載のインクジェット記録用水性インク。
【請求項４】
水性ブラックインク及び水性イエローインクを含むインクジェット記録用水性インクセットであって、
前記水性ブラックインクとして、請求項３記載のインクジェット記録用水性インクを含むことを特徴とするインクジェット記録用水性インクセット。
【請求項５】
水性ブラックインク及び水性イエローインクそれぞれの収納部を有するインクカートリッジであって、前記水性ブラックインク及び前記水性イエローインクが、請求項４記載のインクジェット記録用水性インクセットを構成する水性インクであることを特徴とするインクカートリッジ。
【請求項６】
インク収容部及びインク吐出手段を含み、前記インク収容部に収容されたインクを前記インク吐出手段によって吐出するインクジェット記録装置であって、
前記インク収容部に、請求項１〜３のいずれか一項に記載のインクジェット記録用水性インク又は請求項４記載のインクジェット記録用水性インクセットを構成する水性インクが収容されていることを特徴とするインクジェット記録装置。
【請求項７】
記録媒体に水性インクをインクジェット方式により吐出して記録するインクジェット記録方法であって、
前記水性インクとして、請求項１〜３のいずれか一項に記載のインクジェット記録用水性インク又は請求項４記載のインクジェット記録用水性インクセットを構成する水性インクを用いることを特徴とするインクジェット記録方法。
【発明の詳細な説明】
【技術分野】
【０００１】
本発明は、インクジェット記録用水性インク、インクジェット記録用水性インクセット、インクカートリッジ、インクジェット記録装置及びインクジェット記録方法に関する。
【背景技術】
【０００２】
顔料を用いたインクジェット記録用水性インクは、高速記録に対応可能であることが求められる。高速記録に対応可能なものとして、周波数応答が改善されたインクジェット記録用水性ブラックインクが提案されている（特許文献１）。
【先行技術文献】
【特許文献】
【０００３】
【特許文献１】特開２００５−２４８１７８号公報
【発明の概要】
【発明が解決しようとする課題】
【０００４】
しかし、記録速度を高めるために低解像度で記録すると、ベタ部が埋まらず、記録画像に白スジ状のムラ（バンディング）が発生することがある。また、白スジ状のムラ（バンディング）を無くすために、インクジェット記録用水性インクの浸透性を高めると、異色間のブリード及び蒸発特性が悪化する。
【０００５】
そこで、本発明は、顔料を用いた場合においても、低解像度記録でもベタ部に白スジ状のムラ（バンディング）を生じることが無く、異色間のブリードを抑制可能で、かつ、蒸発特性にも優れたインクジェット記録用水性インクを提供することを目的とする。
【課題を解決するための手段】
【０００６】
前記目的を達成するために、本発明のインクジェット記録用水性インクは、
着色剤及び水を含むインクジェット記録用水性インクであって、
前記着色剤が、顔料を含み、
さらに、前記水性インクが、下記（ａ）に示す物質、（ｂ）に示す物質及び（ｃ）に示す物質を含み、
前記水性インク全量に対する前記（ａ）に示す物質の配合量が、０．１重量％〜０．３重量％であり、
前記水性インク全量に対する前記（ｂ）に示す物質の配合量が、２．５重量％〜４．５重量％であり、
前記水性インク全量に対する前記（ｃ）に示す物質の配合量が、０．５重量％〜１．５重量％であることを特徴とする。
（ａ）：アセチレングリコール系界面活性剤
（ｂ）：トリプロピレングリコールメチルエーテル
（ｃ）：トリプロピレングリコール−ｎ−ブチルエーテル
【発明の効果】
【０００７】
本発明のインクジェット記録用水性インクは、所定量の前記（ａ）〜（ｃ）の三種の物質を併用しているため、顔料を用いているものの、低解像度記録でもベタ部に白スジ状のムラ（バンディング）を生じることが無く、異色間のブリードを抑制可能で、かつ、蒸発特性にも優れる。
【図面の簡単な説明】
【０００８】
【図１】図１は、本発明のインクジェット記録装置の構成の一例を示す概略斜視図である。
【発明を実施するための形態】
【０００９】
本発明のインクジェット記録用水性インク（以下、「水性インク」又は「インク」と言うことがある。）について説明する。本発明の水性インクは、着色剤及び水を含む。
【００１０】
前述のとおり、前記着色剤は、顔料を含む。前記顔料は、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料及びカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料；ニトロソ顔料；アニリンブラック昼光蛍光顔料；等があげられる。また、その他の顔料であっても水相に分散可能なものであれば使用できる。これらの顔料の具体例としては、例えば、Ｃ．Ｉ．ピグメントブラック１、６及び７；Ｃ．Ｉ．ピグメントイエロー１、２、３、１２、１３、１４、１５、１６、１７、５５、７８、１５０、１５１、１５４、１８０、１８５及び１９４；Ｃ．Ｉ．ピグメントオレンジ３１及び４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４及び２３８；Ｃ．Ｉ．ピグメントバイオレット１９６；Ｃ．Ｉ．ピグメントブルー１、２、３、１５、１５：１、１５：２、１５：３、１５：４、１６、２２及び６０；Ｃ．Ｉ．ピグメントグリーン７及び３６等があげられる。
【００１１】
前記顔料は、自己分散型顔料であってもよい。前記自己分散型顔料は、例えば、顔料粒子にカルボニル基、ヒドロキシル基、カルボン酸基、スルホン酸基、リン酸基等の親水性官能基及びそれらの塩の少なくとも一種が、直接又は他の基を介して化学結合により導入されていることによって、分散剤を使用しなくても水に分散可能なものである。前記自己分散型顔料は、例えば、特開平８−３４９８号公報、特表２０００−５１３３９６号公報、特表２００８−５２４４００号公報、特表２００９−５１５００７号公報等に記載の方法によって顔料が処理されたものを用いることができる。前記自己分散型顔料の原料としては、無機顔料及び有機顔料のいずれも使用することができる。また、前記処理を行うのに適した顔料としては、例えば、三菱化学（株）製の「ＭＡ８」及び「ＭＡ１００」等のカーボンブラックがあげられる。前記自己分散型顔料は、例えば、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」及び「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−２」及び「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００１２】
前記顔料は、ブラック顔料であることが好ましい。後述のように、前記顔料としてブラック顔料を用いた本発明の水性ブラックインクは、水性イエローインクと併用したときのブラック−イエロー間のブリードに優れる。
【００１３】
前記水性インク全量に対する前記顔料の固形分配合量（顔料固形分量）は、特に限定されず、例えば、所望の光学濃度又は色彩等により、適宜決定できる。前記顔料固形分量は、例えば、０．１重量％〜２０重量％であり、好ましくは、１重量％〜１０重量％であり、より好ましくは、２重量％〜８重量％である。
【００１４】
前記水性インクは、顔料以外の着色剤を含んでもよい。前記顔料以外の着色剤としては、例えば、染料等があげられる。
【００１５】
前記水は、イオン交換水又は純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。
【００１６】
前記水性インクは、界面活性剤として、前記（ａ）に示す物質を含む。前記（ａ）に示す物質は、特に限定されないが、一般式（１）で表される化合物を含むことが好ましい。一般式（１）において、ｍ及びｎは、同一でも異なっていてもよく、例えば、ｍ＋ｎ＝０〜５０を満たす数であり、好ましくは、ｍ＋ｎ＝０〜２０を満たす数である。Ｒ１、Ｒ２、Ｒ３及びＲ４は、それぞれ同一でも異なっていてもよく、炭素原子数１〜５の直鎖状又は分岐鎖状アルキル基である。前記アルキル基としては、例えば、メチル基、エチル基、プロピル基、イソプロピル基、ブチル基、イソブチル基等があげられ、好ましくは、メチル基、イソブチル基である。
【化１】
2014189682.tif 000002
【００１７】
前記（ａ）に示す物質は、例えば、市販品を用いてもよい。前記市販品としては、例えば、日信化学工業（株）製の「オルフィン（登録商標）Ｅ１００４」、「オルフィン（登録商標）Ｅ１０１０」、「サーフィノール（登録商標）４４０」、「サーフィノール（登録商標）４６５」；川研ファインケミカル（株）製の「アセチレノール（登録商標）Ｅ４０」、「アセチレノール（登録商標）Ｅ１００」；等があげられる。
【００１８】
前述のとおり、前記水性インク全量に対する前記（ａ）に示す物質の配合量は、０．１重量％〜０．３重量％である。前記（ａ）に示す物質の配合量を０．１重量％以上とすることで、白スジ状のムラ（バンディング）を生じることが無く、０．３重量％以下とすることで、異色間のブリードも抑制された水性インクを得ることができる。前記界面活性剤は、本発明の効果を損なわない範囲で、前記（ａ）に示す物質以外の他の界面活性剤を含んでもよい。
【００１９】
前記水性インクは、浸透剤として、前記（ｂ）に示す物質及び（ｃ）に示す物質を含む。前述のとおり、前記水性インク全量に対する前記（ｂ）に示す物質の配合量は、２．５重量％〜４．５重量％であり、前記水性インク全量に対する前記（ｃ）に示す物質の配合量は、０．５重量％〜１．５重量％である。前記（ｂ）に示す物質の配合量を２．５重量％以上とすることで、異色間のブリードが抑制された水性インクを得ることができ、前記（ｂ）に示す物質の配合量を４．５重量％以下とすることで、蒸発特性に優れた水性インクを得ることができる。また、前記（ｃ）に示す物質の配合量を０．５重量％以上とすることで、白スジ状のムラ（バンディング）が抑制された水性インクを得ることができる。前記浸透剤は、本発明の効果を損なわない範囲で、前記（ｂ）に示す物質及び（ｃ）に示す物質以外の他の浸透剤を含んでもよいが、前記（ｂ）に示す物質及び（ｃ）に示す物質のみで構成されていることが好ましい。
【００２０】
前記水性インクにおいて、前記水性インク全量に対する前記（ａ）に示す物質の配合量が、０．１重量％〜０．２重量％であり、前記水性インク全量に対する前記（ｂ）に示す物質の配合量が、３．５重量％〜４．５重量％であり、前記水性インク全量に対する前記（ｃ）に示す物質の配合量が、０．５重量％〜１．０重量％であることが、より好ましい。
【００２１】
前記他の浸透剤は、特に限定されず、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、テトラエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールエチルエーテル及びトリプロピレングリコール−ｎ−プロピルエーテル等があげられる。前記他の浸透剤は、１種類を単独で用いてもよいし、２種類以上を併用してもよい。
【００２２】
前記水性インクは、さらに、湿潤剤を含んでもよい。前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００２３】
前記水性インク全量に対する前記湿潤剤の配合量は、例えば、０重量％〜９５重量％であり、好ましくは、５重量％〜８０重量％であり、より好ましくは、５重量％〜５０重量％である。
【００２４】
前記水性インクは、必要に応じて、さらに、従来公知の添加剤を含んでもよい。前記添加剤としては、例えば、ｐＨ調整剤、粘度調整剤、表面張力調整剤、防黴剤等があげられる。前記粘度調整剤は、例えば、ポリビニルアルコール、セルロース、水溶性樹脂等があげられる。
【００２５】
前記水性インクは、例えば、顔料、水、前記（ａ）に示す物質、前記（ｂ）に示す物質及び前記（ｃ）に示す物質と、必要に応じて他の添加成分とを、従来公知の方法で均一に混合し、フィルタ等で不溶解物を除去することにより調製できる。
【００２６】
つぎに、本発明のインクジェット記録用水性インクセット（以下、「水性インクセット」又は「インクセット」と言うことがある。）は、水性ブラックインク及び水性イエローインクを含むインクジェット記録用水性インクセットであって、前記水性ブラックインクとして、前記顔料が、ブラック顔料である本発明のインクジェット記録用水性インクを含むことを特徴とする。前記水性イエローインクは、特に限定されず、一般的な水性イエローインクを用いてよい。
【００２７】
前記水性イエローインクに用いる着色剤は、顔料又は染料のいずれであってもよい。また、前記水性イエローインクに用いる着色剤として、顔料及び染料を混合して用いてもよい。
【００２８】
前記水性イエローインクに用いる顔料の具体例としては、例えば、Ｃ．Ｉ．ピグメントイエロー１、２、３、１２、１３、１４、１５、１６、１７、５５、７８、１５０、１５１、１５４、１８０、１８５及び１９４等があげられる。前記水性イエローインクに用いる顔料は、自己分散型顔料であってもよい。前記水性イエローインクに用いる自己分散型顔料としては、例えば、キャボット・スペシャルティ・ケミカルズ社製の「ＣＡＢ−Ｏ−ＪＥＴ（登録商標）２７０Ｙ」及び「ＣＡＢ−Ｏ−ＪＥＴ（登録商標）４７０Ｙ」等があげられる。
【００２９】
前記水性イエローインクに用いる染料は、特に限定されず、例えば、Ｃ．Ｉ．ダイレクトイエロー１２、２４、２６、８６、９８、１３２、１４２及び１７３等、Ｃ．Ｉ．アシッドイエロー１１、１７、２３、２５、２９、４２、６１及び７１等があげられる。
【００３０】
前記水性イエローインクに用いる染料としては、例えば、化学式（Ｙａ）〜（Ｙｅ）で表される化合物もあげられる。化学式（Ｙａ）〜（Ｙｅ）において、−Ｃ４Ｈ９（ｔ）は、ｔｅｒｔ−ブチル基である。
【００３１】
【化２】
2014189682.tif 000003
【００３２】
【化３】
2014189682.tif 000004
【００３３】
【化４】
2014189682.tif 000005
【００３４】
【化５】
2014189682.tif 000006
【００３５】
【化６】
2014189682.tif 000007
【００３６】
本発明の水性インクセットは、水性ブラックインクが前記（ａ）〜（ｃ）の三種の物質を併用した本発明の水性インクであるため、従来の水性インクセットでは難しかったブラック−イエロー間のブリードを抑制可能である。
【００３７】
つぎに、本発明のインクカートリッジについて説明する。本発明のインクカートリッジは、水性ブラックインク及び水性イエローインクそれぞれの収納部を有するインクカートリッジであって、前記水性ブラックインク及び前記水性イエローインクが、本発明のインクジェット記録用水性インクセットを構成する水性インクであることを特徴とする。本発明のインクカートリッジは、前記水性ブラックインク及び前記水性イエローインク以外の水性インクの収納部を有してもよい。
【００３８】
本発明のインクカートリッジは、前記水性ブラックインクが収容されたインクカートリッジ及び前記水性イエローインクが収容されたインクカートリッジが集合したインクカートリッジ集合体であってもよい。また、本発明のインクカートリッジは、前記水性ブラックインクの収納部と前記水性イエローインクの収納部とを形成するようにその内部が間仕切りされた一体型のインクカートリッジであってもよい。本発明のインクカートリッジの本体としては、例えば、従来公知のものを使用できる。
【００３９】
つぎに、本発明のインクジェット記録装置及びインクジェット記録方法について説明する。
【００４０】
本発明のインクジェット記録装置は、インク収容部及びインク吐出手段を含み、前記インク収容部に収容されたインクを前記インク吐出手段によって吐出するインクジェット記録装置であって、前記インク収容部に、本発明のインクジェット記録用水性インク又は本発明のインクジェット記録用水性インクセットを構成する水性インクが収容されていることを特徴とする。
【００４１】
本発明のインクジェット記録方法は、記録媒体に水性インクをインクジェット方式により吐出して記録するインクジェット記録方法であって、前記水性インクとして、本発明のインクジェット記録用水性インク又は本発明のインクジェット記録用水性インクセットを構成する水性インクを用いることを特徴とする。
【００４２】
本発明のインクジェット記録方法は、例えば、本発明のインクジェット記録装置を用いて実施可能である。前記記録は、印字、印画、印刷等を含む。
【００４３】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成要素として含む。
【００４４】
４つのインクカートリッジ２は、ブラック、イエロー、マゼンタ及びシアンの４色の水性インクを、それぞれ１色ずつ含む。例えば、前記水性ブラックインク及び前記水性イエローインクが、本発明の水性インクセットを構成する水性ブラックインク及び水性イエローインクである。その他の水性インクは、一般的な水性インクを用いてよい。ヘッドユニット４に設置されたインクジェットヘッド３は、記録媒体（例えば、記録用紙）Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００４５】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００４６】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００４７】
本例のインクジェット記録装置１においては、４つのインクカートリッジ２は、ヘッドユニット４と共に、１つのキャリッジ５に搭載されている。ただし、本発明は、これに限定されない。前記インクジェット記録装置において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。
【００４８】
このインクジェット記録装置１を用いたインクジェット記録は、例えば、つぎのようにして実施される。まず、記録用紙Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から吐出される水性インクにより所定の記録がされる。本発明の水性ブラックインクは、インクジェットヘッド３で加熱され、蒸発しても、流動性を失うことがないため、吐出安定性に優れる。記録後の記録用紙Ｐは、インクジェット記録装置１から排紙される。また、本発明の水性ブラックインク及び水性インクセットで記録された記録物は、白スジ状のムラ（バンディング）及びブラック−イエロー間のブリードが抑制される。図１においては、記録用紙Ｐの給紙機構及び排紙機構の図示を省略している。
【００４９】
図１に示す装置では、シリアル型インクジェットヘッドを採用するが、本発明は、これに限定されない。前記インクジェット記録装置は、ライン型インクジェットヘッドを採用する装置であってもよい。
【実施例】
【００５０】
つぎに、本発明の実施例について比較例と併せて説明する。なお、本発明は、下記の実施例及び比較例により限定及び制限されない。
【００５１】
［実施例１〜１４及び比較例１〜１５］
インク組成（表２及び表３）における、顔料を除く成分を、均一に混合しインク溶媒を得た。つぎに、水に分散させた顔料に前記インク溶媒を加え、均一に混合した。その後、得られた混合物を、東洋濾紙（株）製のセルロースアセテートタイプメンブレンフィルタ（孔径３．００μｍ）でろ過することで、実施例１〜１４及び比較例１〜１５のインクジェット記録用水性ブラックインクを得た。
【００５２】
実施例及び比較例の水性インクについて、（ａ）ベタ画像のバンディング評価、（ｂ）ブラック−イエロー間ブリード（Ｂｋ−Ｙブリード）評価、（ｃ）蒸発特性評価及び（ｄ）総合評価を、下記方法により実施した。
【００５３】
（ａ）ベタ画像のバンディング評価
ブラザー工業（株）製のインクジェットプリンタ搭載デジタル複合機ＤＣＰ−Ｊ５２５Ｎを用いて、評価紙３紙（Ｈａｍｍｅｒｍｉｌｌ社製のＬａｓｅｒ  Ｐｒｉｎｔ、Ｉｎｔｅｒｎａｔｉｏｎａｌ  Ｐａｐｅｒ社製のＲｅｙｔｏｄａｙ  Ｃｏｐｙ及びＸｅｒｏｘ社製のＢｕｓｉｎｅｓｓ）上に、実施例及び比較例の水性ブラックインクを用いてベタ画像（６００ｄｐｉ×３００ｄｐｉ）を記録した。前記ベタ画像記録部分を目視で観察し、下記評価基準に従ってベタ画像のバンディングを評価した。
【００５４】
ベタ画像のバンディング評価  評価基準
ＡＡ：前記ベタ画像記録部分に、いずれの評価紙においても白スジがほとんど確認されなかった。
Ａ  ：前記ベタ画像記録部分に、いずれかの評価紙において白スジが僅かに確認された。
Ｂ  ：前記ベタ画像記録部分に、いずれかの評価紙において白スジが明らかに確認された。
【００５５】
（ｂ）Ｂｋ−Ｙブリード（ラギッドネス）評価
＜水性イエロー染料インク（Ｙ１）の調製＞
インク組成（表１）の各成分を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、水性イエロー染料インクＹ１を得た。なお、表１において、染料（Ｙｃ）は、化学式（Ｙｃ）で表される化合物である。
【００５６】
＜水性イエロー顔料インク（Ｙ２）の調製＞
インク組成（表１）における、顔料を除く成分を、均一に混合しインク溶媒を得た。つぎに、水に分散させた顔料に前記インク溶媒を加え、均一に混合した。その後、得られた混合物を、東洋濾紙（株）製のセルロースアセテートタイプメンブレンフィルタ（孔径３．００μｍ）でろ過することで、水性イエロー顔料インクＹ２を得た。
【００５７】
【表１】
2014189682.tif 000008
【００５８】
前記インクジェットプリンタ搭載デジタル複合機ＤＣＰ−Ｊ５２５Ｎを用いて、前記評価紙３紙上に、水性イエローインクＹ１又はＹ２を用いてベタ画像（６００ｄｐｉ×３００ｄｐｉ）を記録し、前記ベタ画像を記録した部分に、同一走査内において、実施例及び比較例の水性ブラックインクを用いてＭｉｃｒｏｓｏｆｔ  ＥＸＣＥＬ（登録商標）の０．７５ｐｔ罫線を記録した。前記０．７５ｐｔ罫線に対するラギッドネスを、クオリティ・エンジニアリング・アソシエイツ（ＱＡＥ）社製のハンディ型画像評価システム「ＰＩＡＳ（登録商標）−ＩＩ」を使用して測定した。前記評価紙３紙の測定結果の平均値を、下記評価基準に従って評価した。前記ラギッドネスは、ＩＳＯ１３６６０で定義されたラインのラギッドネスである。前記ラギッドなラインは、スムーズな理想のラインエッジに対し、スムーズでない波状のラインである。
【００５９】
Ｂｋ−Ｙブリード（ラギッドネス）評価  評価基準
ＡＡ：前記０．７５ｐｔ罫線のラギッドネスが、２１μｍ以下であった。
Ａ  ：前記０．７５ｐｔ罫線のラギッドネスが、２１μｍより大きく、２４μｍ以下であった。
Ｂ  ：前記０．７５ｐｔ罫線のラギッドネスが、２４μｍより大きく、２７μｍ以下であった。
Ｃ  ：前記０．７５ｐｔ罫線のラギッドネスが、２７μｍより大きかった。
【００６０】
（ｃ）蒸発特性評価
実施例及び比較例の水性ブラックインク５ｇを、開放瓶（口径：２０．２ｍｍ）に注入した。その開放瓶を、温度６０℃、相対湿度４０％の恒温槽中に５日間保存した。前記保存後、前記開放瓶内の水性ブラックインクの状態を目視で観察し、下記の評価基準に従って評価した。
【００６１】
蒸発特性評価  評価基準
ＡＡ：流動性があった
Ａ  ：チキソ性であった（力（衝撃）を加えると流動性を示した）
Ｂ  ：固化した
【００６２】
（ｄ）総合評価
各水性ブラックインクについて、前記（ａ）〜（ｃ）の結果から、下記評価基準に従って総合評価を行った。
【００６３】
総合評価  評価基準
Ｇ  ：全ての評価結果がＡ以上であった
ＮＧ：評価結果のいずれかにＢ以下があった
【００６４】
実施例の水性ブラックインクのインク組成及び評価結果を、表２に示す。また、比較例の水性ブラックインクのインク組成及び評価結果を、表３に示す。
【００６５】
【表２】
2014189682.tif 000009
【表３】
2014189682.tif 000010
【００６６】
表２に示すとおり、実施例１〜１４では、ベタ画像のバンディング評価、Ｂｋ−Ｙブリード（ラギッドネス）評価及び蒸発特性評価の全ての結果に優れていた。
【００６７】
一方、表３に示すとおり、（ｂ）に示す物質を用いなかった比較例１、（ｂ）に示す物質の配合量を２．００重量％とした比較例６、（ａ）に示す物質の配合量を０．６０重量％とした比較例８及び１４では、Ｂｋ−Ｙブリード（ラギッドネス）評価の結果が極めて悪く、（ｂ）に示す物質の代わりにジプロピレングリコール−ｎ−プロピルエーテルを用いた比較例１０では、Ｂｋ−Ｙブリード（ラギッドネス）評価の結果が悪かった。
【００６８】
また、（ｃ）に示す物質を用いなかった比較例２、（ａ）に示す物質を用いなかった比較例３、（ｃ）に示す物質の配合量を０．２０重量％とした比較例４、（ｃ）に示す物質の代わりにジプロピレングリコール−ｎ−プロピルエーテル又はトリエチレングリコール−ｎ−ブチルエーテルを用いた比較例９、１１及び１５、並びに（ｃ）に示す物質の配合量を０．２０重量％とした比較例１３では、ベタ画像のバンディング評価の結果が悪かった。
【００６９】
そして、（ｃ）に示す物質の配合量を２．００重量％とした比較例５では、Ｂｋ−Ｙブリード（ラギッドネス）評価の結果が極めて悪く、蒸発特性評価の結果が悪かった。
【００７０】
さらに、（ｂ）に示す物質の配合量を５．００重量％とした比較例７では、蒸発特性評価の結果が悪かった。
【００７１】
さらに、（ａ）に示す物質の代わりに炭素数４のアルキルポリグルコシドを用いた比較例１２では、ベタ画像のバンディング評価及びＢｋ−Ｙブリード（ラギッドネス）評価の結果が悪かった。
【産業上の利用可能性】
【００７２】
以上のように、本発明の水性インクは、顔料を用いた場合においても、低解像度記録でもベタ部に白スジ状のムラ（バンディング）が生じることが無く、異色間のブリードも抑制可能で、かつ、蒸発特性にも優れたものである。本発明の水性インクの用途は、特に限定されず、各種のインクジェット記録に広く適用可能である。
【符号の説明】
【００７３】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2014189682.tif 000011